(57)【要約】【課題】香料を成分として含む場合であっても、光の透過率を悪くさせないようにしたクリーニング剤を提供する。【解決手段】６０重量パーセント以下の水可溶性のアルコール類と、０．０１重量パーセント〜２重量パーセントの天然香料もしくは合成香料からなる香料と、珪酸分の含有比率が０．５重量パーセントから１５重量パーセントのテトラエトキシシランの重縮合物と、３０重量パーセントから５０重量パーセントからなる水成分とからなるように構成する。そして、このクリーニング剤をクロスに滴下して、ガラスの表面に二酸化珪素の膜を形成して、香料を封じ込めるようにする。【選択図】図１
2014234480.tif 000002
【特許請求の範囲】
【請求項１】
水可溶性のアルコール類と、天然香料もしくは合成香料から成る香料と、テトラエトキシシランの重縮合物と、水成分とを有するクリーニング剤。
【請求項２】
６０重量パーセント以下の水可溶性のアルコール類と、
０．０１重量パーセント〜２重量パーセントの天然香料もしくは合成香料からなる香料と、
珪酸分の含有比率が０．５重量パーセントから１５重量パーセントのテトラエトキシシランの重縮合物と、
３０重量パーセントから５０重量パーセントからなる水成分と、
を有するクリーニング剤。
【請求項３】
前記テトラエトキシシランの重縮合物の粒子径が１００ｎｍ以下である請求項１または２に記載のクリーニング剤。
【発明の詳細な説明】
【技術分野】
【０００１】
本発明は、携帯電話の画面や窓ガラス、車のガラス、メガネなどのような透過性を有する基材の表面に塗布されるクリーニング剤に関するものであり、より詳しくは、指紋などの汚れを除去するだけでなく、香りを付けられるようにしたクリーニング剤に関するものである。
【背景技術】
【０００２】
従来、携帯電話やパソコンの画面の汚れを落とすクリーニング剤が各種提案されている。このようなクリーニング剤としては、一般的に、界面活性剤やアルコール成分を含んだものが多いが、これに香料などを含ませて付加価値を向上させるようにしたものが提案されている。
【０００３】
例えば、下記の特許文献１には、炭素数８〜１５の飽和炭化水素溶剤と、３重量パーセント以下の界面活性剤と、０．５重量パーセント以下の香料とを含むディスプレイ画面用クリーニング剤が提案されている。このようなクリーニング剤を用いれば、画面上の汚れを落とすことができるとともに、香りを付けることによって使用者の気持ちを和らげることができるようになる。
【先行技術文献】
【特許文献】
【０００４】
【特許文献１】特開平１１−３０２６９２号公報
【発明の概要】
【発明が解決しようとする課題】
【０００５】
しかしながら、このようなクリーニング剤を用いてガラスの表面をクリーニングする際、次のような問題を生ずる。
【０００６】
すなわち、上記特許文献１に記載されるようなクリーニング剤として、ディスプレイ表面に油膜状の膜を作るものは、周囲からの光を反射させるため、油膜状の被膜を形成するものは避ける必要がある（特許文献１の第１９段落参照）。しかしながら、このクリーニング剤に含まれる香料は、精油から分離される成分や油脂より得られる成分からなるものであるため、ディスプレイ画面上に油膜が形成されてしまうことになり、このように油膜が形成されてしまうと、光の透過率が悪くなったり、あるいは、周囲からの光の反射のために画面が見づらくなったりしてしまう。
【０００７】
そこで、本発明は上記課題に着目してなされたもので、香料を成分として含む場合であっても、光の透過率を悪くさせないようにしたクリーニング剤を提供することを目的とする。
【課題を解決するための手段】
【０００８】
すなわち、本発明のクリーニング剤は、上記課題を解決するために、水可溶性のアルコール類と、天然香料もしくは合成香料から成る香料と、テトラエトキシシランの重縮合物と、水成分とを有するように構成するようにしたものである。
【０００９】
このようにすれば、油脂からなる香料を塗布した場合であっても、テトラエトキシシランの重縮合物によって生成される粒子状の二酸化珪素の被膜によって、表面の反射などを防止することができ、また、透過率を向上させることができるようになる。
【００１０】
また、具体的には、６０重量パーセント以下の水可溶性のアルコール類と、０．０１重量パーセント〜２重量パーセントの天然香料もしくは合成香料からなる香料と、珪酸分の含有比率が０．５重量パーセントから１５重量パーセントのテトラエトキシシランの重縮合物と、３０重量パーセントから５０重量パーセントからなる水成分とからなるように構成する。
【００１１】
このような比率で各成分を含ませると、テトラエトキシシランの重縮合物のコーティングで香料を封じ込めて、香りを長持ちさせることができるとともに、透明度の向上、透過率の向上、精油による油ムラ防止、反射防止などを図ることができる。
【００１２】
さらに、好適には、前記テトラエトキシシランの重縮合物の粒子径として、１００ｎｍ以下のものを用いるとよい。
【発明の効果】
【００１３】
本発明によれば、水可溶性のアルコール類と、天然香料もしくは合成香料から成る香料と、テトラエトキシシランの重縮合物と、水成分とを有するように構成するようにしたので、油脂からなる香料を塗布した場合であっても、粒子状のテトラエトキシシランの重縮合物によって表面の反射などを防止することができ、また、透過率を向上させることができるようになる。
【図面の簡単な説明】
【００１４】
【図１】本発明の一実施の形態におけるクリーニング剤を塗布してコーティング膜を形成した状態示す図
【発明を実施するための形態】
【００１５】
以下、本発明の一実施の形態について説明する。
【００１６】
この実施の形態におけるクリーニング剤は、ガラスに付着した汚れを除去するとともに、そのガラスに香りを付けられるようにしたものであって、水可溶性のアルコール類と、天然香料もしくは合成香料から成る香料と、エタノールで希釈したテトラエトキシシランの重縮合物と、水成分とを有するように構成されている。
【００１７】
このうち、アルコール類としては、炭素数が１〜５までの低級アルコールとして、メタノール、エタノール、ブタノール、プロパノール、グリセリン、イソプロパノール、ブチルアルコールなどのアルコールを用いる。このうち、好ましくは、コストが安く、乾燥速度が速く、洗浄効果や除菌効果が高いものとしてエタノールを用いるようにする。このアルコール類としては、また、後述するテトラエトキシシランの重縮合物の混合溶剤として用いられ、乾燥速度などを考慮して６０重量パーセント以下の割合で配合させる。
【００１８】
また、香料としては、精油によって得られる香料が用いられ、天然香料、合成香料などからなる。このうち、天然香料としては、植物などから抽出した香料のほか、特定の動物の生殖腺分泌物などから抽出した香料などを用いることができる。一方、合成香料としては、リモネン、β−フェニルエチルアルコール、２，６−ジメチル−２−オクタノール、シクロペンタデカノン、エチル−２−メチル−１，３−ジオキソラン−２−アセテート、γ−ウンデカラクトン、オイルオレンジペラ、α−ピネン、オイルローズマリーチェニジ、シトラール、１，８−シネオールなどを用いることができる。この香料は微量でも強い香りを有するため、好ましくは０．０１重量パーセントから２重量パーセントの範囲内で含有させるようにする。また、このような香料としては、２種類以上の香料を用いるとよい。このような２種類以上の香料を含有させると、蒸発時間の相違から、最初は第一の香りを放出させることができ、その後、第二の香り、第三の香りと時系列で異なる香りを放出させることができるようになる。
【００１９】
テトラエトキシシランSi(OC2H5)4は、別名、珪酸エチル、正珪酸四エチル、ＴＥＯＳ、シリコンエステル、珪酸テトラエチルなどと称されるものであって、ここでは、ガラスに保護膜を形成するとともに、透明度などを向上させる役割を果たす。このテトラエトキシシランの重縮合物は、水と反応することによって、二酸化珪素へと変化するとともに、エタノールを副生成物として生成する。そして、この二酸化珪素によってガラスの表面を平滑化するようにコーティングするとともに、既にテトラエトキシシランの重縮合物の反応によって生成されたエタノールや先のアルコール類とともに汚れの除去や除菌などを図る。また、この生成されたエタノールや先のアルコール類によって、油成分である香料をガラス表面上に均一に塗布させる。このテトラエトキシシランの重縮合物としては、透過性や反射防止などを考慮すれば、アルコール類などを蒸発させた際の二酸化珪素の粒子径が３０ｎｍ〜１００ｎｍの範囲内となる微小粒子のものを用い、また、テトラエトキシシランの重縮合物における珪酸分の配合比率としては、０．５重量パーセントから１５重量パーセントとする。
【００２０】
水成分は、精製水などからなるものであって、テトラエトキシシランの重縮合物の引火点を下げるとともに、粒子を液剤内で分散させる役割を果たす。この水成分については、３０重量パーセントから５０重量パーセントの範囲内で含有させるのが好ましい。
【００２１】
次に、このように構成されたクリーニング剤の使用法やガラスに塗布した場合の状態について、図１を用いて説明する。
【００２２】
このようなクリーニング剤をガラス面に塗布する場合、クリーニング剤を攪拌させた後、２〜３滴分をクロスに染みこませ、そのクロスを用いてガラス１の表面を擦るように塗布する。すると、そのクリーニング剤に含まれるアルコール成分２によって、ガラス面に付着した指紋などの油汚れを除去するとともに、ガラス１の表面に付着した雑菌などを取り除く。
【００２３】
また、このクロスによってクリーニング剤を塗布することによって、香料がガラス１の表面に塗布され、この際、アルコール成分２や水成分５などによって薄く均一に塗布される（図１（ａ））。
【００２４】
そして、このようにクリーニング剤を塗布して、しばらく放置することにより、そのアルコール成分２が蒸発し（図１（ｂ）の状態）、クリーニング剤に含まれていたテトラエトキシシランの重縮合物４が粒子状の二酸化珪素となりながら、香料３をガラス１の表面に封じ込めた状態で、均一にガラス１の表面に塗布される。そして、その二酸化珪素によって、同じ成分のガラス１の表面をコーティングして透明度を向上させるとともに、光の透過率を向上させ、また、精油による油ムラによる乱反射の防止などを図ることができるようになる。
【００２５】
このように上記実施の形態によれば、６０重量パーセント以下の水可溶性のアルコール類と、０．０１重量パーセント〜２重量パーセントの天然香料もしくは合成香料からなる香料と、珪酸分の含有比率が０．５重量パーセントから１５重量パーセントからなるテトラエトキシシランの重縮合物と、３０重量パーセントから５０重量パーセントからなる水成分とからなるように構成するようにしたので、油脂からなる香料を塗布した場合であっても、粒子状のテトラエトキシシランの重縮合物によって表面の反射などを防止することができ、また、透過率を向上させることができるようになる。また、上記の比率で各成分を含有させるようにしたので、香りを長持ちさせることができるとともに、透明度の向上や、透過率の向上、精油による油ムラ防止、反射防止などを図ることができる。
【００２６】
なお、本発明は、上記実施の形態に限定されることなく、種々の態様で実施することができる。
【００２７】
例えば、上記実施の形態では、透過性を有するガラスの表面に塗布する場合について説明したが、これ以外に、合成樹脂や金属表面などに塗布する場合にも使用することができる。
【００２８】
また、上記実施の形態では、クリーニング剤をクロスに滴下させてから、ガラスの表面に塗布するようにしたが、あらかじめクロスにクリーニング剤を染みこませておき、このクロスを用いてガラスの表面を塗布するようにしてもよい。
【符号の説明】
【００２９】
１・・・ガラス
２・・・アルコール類
３・・・香料
４・・・テトラエトキシシランの重縮合物
５・・・水成分
【図１】
2014234480.tif 000003